(57)【要約】【課題】電池やモータなどの高価な駆動手段を備えることなく、単に携帯型害虫防除装置を身体などに装着しておくだけで、薬剤保持体を回転させて害虫防除成分を効率的に揮散させることができ、且つコンパクトで安価に製造することができる携帯型害虫防除装置を提供する。【解決手段】身体１３または携帯品に装着して使用される携帯型害虫防除装置１００であって、害虫防除成分を保持する薬剤保持体１１と、薬剤保持体１１を回転自在に収容すると共に通気口２０，２２が設けられた器体１０と、器体１０を身体１３または携帯品に装着する装着手段１２と、を備える。身体１３または携帯品を動かすことによって回転駆動機構４１が作動して薬剤保持体１１を回転させると、薬剤保持体１１が備える送風機構３２により、通気口２０，２２を介して害虫防除成分を揮散させて害虫を効率的に防除する。【選択図】図１
2008178384.tif 000002
【特許請求の範囲】
【請求項１】
身体または携帯品に装着して使用される携帯型害虫防除装置であって、
害虫防除成分を保持する薬剤保持体と、
前記薬剤保持体を回転自在に収容すると共に、通気口が設けられた器体と、
前記器体を前記身体または携帯品に装着する装着手段と、を備え、
前記身体または携帯品を動かすことにより前記薬剤保持体を回転させ、前記通気口を介して前記害虫防除成分を揮散させて害虫防除することを特徴とする携帯型害虫防除装置。
【請求項２】
前記薬剤保持体は、回転によって外気を、前記通気口を介して送風させる送風機構を備えることを特徴とする請求項１に記載の携帯型害虫防除装置。
【請求項３】
前記薬剤保持体または前記器体は、前記身体または携帯品を動かすことにより前記薬剤保持体を回転させる回転駆動機構を備えることを特徴とする請求項１又は請求項２に記載の携帯型害虫防除装置。
【発明の詳細な説明】
【技術分野】
【０００１】
本発明は、携帯型害虫防除装置に関し、より詳細には、使用者が身につけて屋外などで使用するのに好適な携帯型害虫防除装置に関する。
【背景技術】
【０００２】
使用者が身につけて使用する従来の害虫防除装置としては、虫忌避剤と紫外線感光剤を含有する樹脂を環状に形成し、手首や足首などに装着して使用するようにした装飾用リングが知られている（例えば、特許文献１参照。）。また、常温で揮散する忌避剤を担体に含浸させた虫除け本体の一面に粘着剤層を設け、或いは、該虫除け本体を底面に粘着剤層が設けられたプラスチックケースに収納し、粘着剤層によって人体や衣服に貼着して使用するようにした虫除け具が知られている（例えば、特許文献２参照。）。更に、電池駆動されるモータによって送風機を回転させ、揮散性の薬剤を納める薬剤容器に空気を吸い込み、放出して、揮散性の薬剤を積極的に放散するようにした送風式薬剤放散装置が開示されている（例えば、特許文献３参照。）。
【０００３】
【特許文献１】登録実用新案３１２４８９７号公報
【特許文献２】特開平９−１５４４７０号公報
【特許文献３】特開２００５−３１２３３５号公報
【発明の開示】
【発明が解決しようとする課題】
【０００４】
しかし、特許文献１に開示されている装飾用リングや、特許文献２に開示されている虫除け具に使用可能な薬剤成分は、必ずしも害虫防除機能が十分に発揮できない問題があった。また、特許文献３に開示されている送風式薬剤放散装置は、送風機によって薬剤容器の吸込み口から空気を吸い込み、揮散した薬剤を吸い込んだ空気と共に放出口から放散するようにしたものであり、揮散性の薬剤を積極的に放散して効率的に害虫防除機能を発揮することができるものの、送風機の駆動手段としてモータ及び電池が必要であり、製造コストが嵩むばかりでなく、薬剤放散装置が大型となって携帯用として用いるには改善の余地があった。
【０００５】
本発明は、前述した課題に鑑みてなされたものであり、その目的は、電池やモータなどの駆動手段を備えることなく害虫防除成分を効率的に揮散させて害虫を防除することができ、且つコンパクトで安価に製造することができる携帯型害虫防除装置を提供することにある。
【課題を解決するための手段】
【０００６】
本発明の上記目的は、下記の構成により達成される。
（１）  身体または携帯品に装着して使用される携帯型害虫防除装置であって、
害虫防除成分を保持する薬剤保持体と、
前記薬剤保持体を回転自在に収容すると共に、通気口が設けられた器体と、
前記器体を前記身体または携帯品に装着する装着手段と、を備え、
前記身体または携帯品を動かすことにより前記薬剤保持体を回転させ、前記通気口を介して前記害虫防除成分を揮散させて害虫防除することを特徴とする携帯型害虫防除装置。
【０００７】
上記構成の携帯型害虫防除装置によれば、通気口が設けられた器体内に、害虫防除成分を保持する薬剤保持体を回転自在に収容したので、携帯時に携帯型害虫防除装置に加えられる振動や移動によって薬剤保持体を回転させて効率的に害虫防除成分を、通気口を介して揮散させて効果的に害虫を防除することができる。
尚、ここで言う回転とは、回転軸を有し該軸周りの回転だけではなく、回転軸を備えずにあらゆる方向に回転する回転も含むものであり、また同じ方向に回転する場合に限らず、半回転を繰り返す、或いは回転方向がランダムに変わる回転も含めるものである。
また、携帯型害虫防除装置を身体または携帯品に装着する装着手段を備えたので、携帯型害虫防除装置を容易に身体や携帯品などに装着することができ、屋外において使用する携帯型害虫防除装置として好適である。
【０００８】
（２）  前記薬剤保持体は、回転によって外気を、前記通気口を介して送風させる送風機構を備えることを特徴とする上記(１)に記載の携帯型害虫防除装置。
【０００９】
上記構成の携帯型害虫防除装置によれば、薬剤保持体が、回転によって外気を、通気口を介して送風させる送風機構を備えるので、薬剤保持体から揮散する害虫防除成分を、積極的に携帯型害虫防除装置から拡散することができ、より効果的に害虫を防除することができる。
【００１０】
（３）  前記薬剤保持体または前記器体は、前記身体または携帯品を動かすことにより前記薬剤保持体を回転させる回転駆動機構を備えることを特徴とする上記(１)又は（２）に記載の携帯型害虫防除装置。
【００１１】
上記構成の携帯型害虫防除装置によれば、薬剤保持体または器体が、携帯型害虫防除装置に加えられる慣性力や重力を動力源として薬剤保持体に回転力を付与する回転駆動機構を備えるので、単に携帯型害虫防除装置を身体や携帯品に装着して携帯するだけで薬剤保持体を回転させることができる。これにより、モータや電池などの高価な装置を用いることなく、害虫防除成分を効率的に揮散及び拡散させて害虫を防除すると共に、携帯型害虫防除装置を携帯に好適な大きさに小型化し、且つ安価に製造することができる。
【発明の効果】
【００１２】
本発明の携帯型害虫防除装置によれば、電池やモータなどの高価な駆動手段を備えることなく、単に携帯型害虫防除装置を身体などに装着しておくだけで薬剤保持体を回転させて害虫防除成分を効率的に揮散させることができ、且つコンパクトで安価な携帯型害虫防除装置を提供することができる。
【発明を実施するための最良の形態】
【００１３】
以下、本発明に係る携帯型害虫防除装置の実施形態を図面に基づいて詳細に説明する。
図１は本発明の実施形態である腕装着型の携帯型害虫防除装置の全体斜視図、図２は図１における携帯型害虫防除装置の分解斜視図、図３は上カバーの斜視図、図４は下カバーの斜視図、図５は下カバーの裏面斜視図、図６は保持体の斜視図、図７はファン部の斜視図、図８は装着手段であるリストバンドの斜視図である。
尚、以下の説明においては、上カバー側を上方向、下カバー側を下方向と定義して説明する。
【００１４】
図１及び図２に示すように、本実施形態の携帯型害虫防除装置１００は、器体１０と、器体１０内に回転自在に収容される薬剤保持体１１と、器体１０を使用者の腕１３に装着する装着手段であるリストバンド１２とを備える。器体１０は、樹脂によって略椀形に形成された上カバー１４及び下カバー１５とからなり、下カバー１５に上カバー１４を嵌合させることにより内部に薬剤保持体１１を収容するための空間Ｓが形成される。
尚、リストバンド１２は、伸縮自在の幅を有するゴム紐状のものでもよく、そして腕に嵌める際にはマジックテープを用いた構造としてもよい。
【００１５】
図３に示すように、上カバー１４は、円形の側壁１９を有する略円筒状に形成されており、側壁１９の上端からは中心に配置された軸支持部１７に連続する６本のリブ１８が放射状に延設されている。これにより、上カバー１４の上面には、略３角形の６個の開口からなる吸気口（通気口）２０が形成される。軸支持部１７の中心には、後に詳述する薬剤保持体１１を回転自在に支承するための上部軸受穴２１が形成されている。側壁１９の内周面下部には、半径方向内側に突出する一対の係合突起２３が１８０度離間して設けられている。側壁１９には、円周方向に沿って形成された８個の長穴からなる排気口（通気口）２２が、側壁１９の全周に亘って形成されている。尚、吸気口２０及び排気口２２の大きさ、形状、個数は、これに限定されることなく、実施を妨げない範囲で任意に設定することができる。また、前記上部軸受穴２１は貫通穴でもよく、この場合には後述するファン部３２の支持軸４５の周りに、軸方の移動を抑制するための円環状部を設けることが望ましい（図７参照）。
【００１６】
下カバー１５は、図４及び図５に示すように、略有底円筒状に形成されており、底面２４の上面（内面）には、その中心に薬剤保持体１１を回転自在に支承するための下部軸受穴２６が設けられた軸支持部２５が軸方向に突出して形成されている。また、底面２４の下面（外面）には、軸方向下方に突出し更に半径方向外方に突出する略Ｌ字形の一対の取付ボス２７が形成されている。取付ボス２７は、リストバンド１２への取り付けのために用いられる。下カバー１５の円筒状側壁２８の外周面には、その上端から軸方向に彫り込まれ、更に円周方向に延びる一対のＬ字形溝２９が、上カバー１４の一対の係合突起２３に対応して形成されている。
【００１７】
下カバー１５のＬ字形溝２９に上カバー１４の係合突起２３を挿入して回転させて、Ｌ字形溝２９と係合突起２３を係合させて下カバー１５と上カバー１４が一体的に組み付けられる。これにより、上カバー１４と下カバー１５の内部に、薬剤保持体１１を収容するための空間Ｓが形成される。
【００１８】
図２に示すように、薬剤保持体１１は、害虫防除成分を保持する担体３０と、該担体３０を収容・保持する保持器３１と、ファン部３２と、が組み付けられて構成される。担体３０は、円盤状の外形を有しており、害虫防除成分を含む薬剤が保持されている。
【００１９】
担体３０は、形態、材質、サイズ等を任意に設定できるが、簡単な構造で、通気性の大きいものが好ましい。例えば、ハニカム形状、スノコ形状、蛇腹形状、網形状、スリット形状、格子形状、粒状、顆粒状、または開孔を設けた紙類等の構造のものを採用できる。各セルの形状も本発明の効果の面では問題にならない。上記した以外の形状として、例えば６角形蜂の巣形状でも、円形状、Ｓ字形状でもよい。通気性ケース（保持体ケース）中に、粒体、ブロック、粉砕物等を、通気性を阻害しないように収納した通気性担体も、担体３０として使用し得る。
【００２０】
担体３０を形成する材質は、有効成分を十分に保持できるものであれば特に限定されない。しかし、保持した有効成分を一時に揮散させるようなものより、要求される時間にわたって同じ量の有効成分を連続的に揮散させることができるような材質であることが好ましい。例えば紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００２１】
また、担体３０は、有効成分を含む薬剤を保持し、これらの一種または二種以上を組み合わせて任意の形状にして使用するものであってもよい。担体３０に有効成分等を保持させるには、担体３０に薬剤を滴下塗布、含浸塗布、スプレー塗布等の液状塗布方法、液状印刷、はけ塗り等の方法、或いは担体３０へ貼り付けする方法等を用いることができる。更に、使用する組成物が液状のものでない場合、或いは溶剤を使用しない場合、混練込み、塗布、印刷等の方法を適用できる。
【００２２】
担体３０に保持させる薬剤の有効成分としては、害虫防除剤、殺菌剤、芳香剤、消臭剤等を例示できる。害虫防除成分として代表的なものを、以下に例示する。
・ｄｌ−３−アリル−２−メチル−４−オキソ−２−シクロペンテニル ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル ｄ−シス／トランス−クリサンテマート（商品名ピナミンフォルテ：住友化学工業株式会社製）
・ｄｌ−３−アリル−２−メチル−４−オキソ−２−シクロペンテニル ｄ−トランス−クリサンテマート（一般名バイオアレスリン、商品名エスバイオール：ユクラフ社製）
・ｄ−３−アリル−２−メチル−４−オキソ−２−シクロペンテニル ｄ−トランス−クリサンテマート（商品名エキスリン：住友化学工業株式会社製）
・（５−ベンジル−３−フリル）メチル ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル ３−（２，２−ジクロロエテニル）−２，２−ジメチルシクロプロパンカルボキシラート等。
【００２３】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基またはハロゲン原子である化合物を用いることもできる。この他にも、フィプロニール、イミプロトリン、フラニル系の殺虫剤であるジノテフラン（化学名：（ＲＳ）−１−メチル−２−ニトロ−３−（テトラヒドロ−３−フリルメチル）グアニジン）、トリクロルホン、カルタップ、アセタミプリド、イミダクロプリド（Ｉｍｉｄａｃｌｏｐｒｉｄ、日本バイエルアグロケム社製）、ニテンピラム（Ｎｉｔｅｎｐｙｒａｍ、住化武田農薬社製）、チアクロプリド（Ｔｈｉａｃｌｏｐｒｉｄ、日本バイエルアグロケム社製）、クロチアニジン（Ｃｌｏｔｉａｎｉｄｉｎ、住化武田農薬社製）、チアメトキサム（Ｔｈｉａｍｅｔｈｏｘａｍ、シンジェンタ社製）、プロポクスル（Ｐｒｏｐｏｘｕｒ、バイエル薬品社製）、ピメトロジン（Ｐｙｍｅｔｒｏｚｉｎｅ、シンジェンタ社製）、フェニトロチオン（住友化学社製）、フェンチオン（バイエル社製）、メトフルトリン（住友化学社製）、プロフルトリン（住友化学社製）、アミドフルメト（住友化学社製）、植物精油などの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。
【００２４】
こうした中でも、常温で難揮散性のものが好ましく、さらに、プラレトリン、レスメトリン、バイオアレスリン、フラメトリン、テラレスリン、トランスフルスリン、メトフルトリン、プロフルトリンが特に好ましい。このような害虫防除成分は単独で用いてもよく、組み合わせて用いてもよい。また、これらの類縁体も用いられる。これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、難揮散性となり長時間にわたって害虫防除効果を得ることができる。
【００２５】
担体３０に薬剤を保持させる際に、担体３０に薬剤を容易に含浸させるための理由で液状薬剤を低粘度化する添加剤として、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要に応じて使用することができる。また、担体３０に薬剤を保持させる際に、その他の補助成分とともにこれを保持させることができ、例えば、蒸散促進用助剤として昇華性物質を添加すると揮散効果が高まってよい。害虫防除成分としてピレスロイド系化合物を使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。
【００２６】
保持器３１は、ファン部３２と協動して担体３０を挟持して保持するための部材であり、図６に示すように、中心に設けられた軸支持部３３から４５度間隔で放射状に延設された８本のリブ３４の先端が、リング状枠体３５の下面に接続して形成されている。これにより、保持器３１には、担体３０を露出させる略３角形の複数の開口４０が形成される。リング状枠体３５の内径及び高さは、担体３０の外径及び厚さと同じ寸法となっており、担体３０がリング状枠体３５内に嵌合して収容される。
【００２７】
一対のリブ３４間には、該リブ３４の下部同士を連続させる略３角板状の底板３６が設けられており、これにより略３角形の凹部３７が形成されている。凹部３７には、回転駆動機構である金属、樹脂などの錘４１が嵌合装着される（図２参照）。錘４１は、保持器３１（薬剤保持体１１）に回転力を付与するためのものであり（後に詳述する）、底板３６の質量だけで十分な回転力を付与できるのであれば、必ずしも錘４１を装着しなくてもよい。
【００２８】
軸支持部３３には、下カバー１５の下部軸受穴２６に回動自在に嵌合する支持軸３８が下方に突出して形成されている。また、リング状枠体３５には、ファン部３２と係合するための一対の係合突起３９が上方に突出して形成されている。
【００２９】
送風機構を構成するファン部３２は、図７に示すように、リング状枠体４２と、中心に配置された軸支持部４３と、リング状枠体４２と軸支持部４３とを連結して４５度間隔で放射状に設けられた８枚の羽根４４とからなる。軸支持部４３には、上カバー１４の上部軸受穴２１に回動自在に嵌合する支持軸４５が上方に突出して形成されている。８枚の羽根４４は、支持軸４５と直交する面に対して一定の角度で立ち上がる略３角板状に形成されており、中心（軸支持部４３）から半径方向外方（リング状枠体４２）に向かうに従って次第に幅が広くなるように（換言すれば、次第に高さが高くなるように）形成されている。リング状枠体４２には、保持器３１のリング状枠体３５に設けられた係合突起３９と係合する一対の係合溝（図示せず）が形成されている。
【００３０】
図２に示すように、薬剤保持体１１は、保持器３１の凹部３７に錘４１を嵌合装着した後、リング状枠体３５に担体３０を嵌合させ、更にファン部３２を載せて担体３０を挟持し、保持器３１の係合溝に係合突起３９を係合させて一体に組み付けられた構成となっている。このとき、保持器３１の支持軸３８の軸心とファン部３２の支持軸４５の軸心は、同一直線上を通る。また、保持器３１には錘４１が装着されているので、薬剤保持体１１の重心Ｇは、回転の中心ＣＰ（支持軸３８及び４５の軸心）から離間した位置にある（図１０参照）。
【００３１】
このように一体に組み付けられた薬剤保持体１１は、保持器３１の支持軸３８を下カバー１５の下部軸受穴２６に嵌合させ、更にファン部３２の支持軸４５を上カバー１４の上部軸受穴２１に嵌合させて、上カバー１４及び下カバー１５で形成される空間Ｓ内に回動自在に収容される。そして、下カバー１５のＬ字形溝２９と上カバー１４の係合突起２３を係合させて組み付け、薬剤保持体１１を上カバー１４及び下カバー１５により回動自在に支承する。
【００３２】
尚、害虫防除成分が保持された担体３０は消耗品であり、携帯型害虫防除装置１００の使用により害虫防除成分が消費されたとき、担体３０の交換が必要となる。消耗品の販売形態としては、担体３０のみを供給してもよく、或いは担体３０、保持器３１及びファン部３２を一体に組み付けた薬剤保持体１１を消耗品として供給してもよい。使用者は、上記した組付け手順と逆の手順により取り出して容易に交換することができる。
【００３３】
図８に示すように、腕装着型の携帯型害虫防除装置１００を使用者の腕１３に装着する装着手段であるリストバンド１２は、柔軟性を有する樹脂やゴムなどで長尺帯状に形成されており、その一端には、球状頭部を有する係合突起部５０が形成され、他の一端には、係合突起部５０が嵌合する複数の穴５１が形成されている。リストバンド１２の略中央には、下カバー１５の取付ボス２７を挿入して係合させるための略Ｌ字型の一対の係合穴５２が設けられている。係合穴５２に下カバー１５の取付ボス２７を挿入して回転させることにより、器体１０がリストバンド１２に着脱自在に装着される。
【００３４】
本実施形態の作用を説明する。本実施形態の腕装着型の携帯型害虫防除装置１００は、図９に示すように、リストバンド１２によって使用者の腕１３に装着され、主に屋外において携帯して使用される。図１０に示すように、使用者がウオーキング、ハイキング、または各種作業を行うなどのために腕１３を矢印Ａ方向に動かすと、携帯型害虫防除装置１００、即ち、薬剤保持体１１内に装着された錘４１には、重力Ｆｇと共に慣性力Ｆｉが作用する。これにより、薬剤保持体１１には、重力Ｆｇと慣性力Ｆｉとの合成力Ｆによる回転力Ｆ・ｒが付与され、薬剤保持体１１が回転の中心ＣＰ（支持軸３８及び４５の軸心）を中心として矢印Ｂ方向に回転する。ここで、ｒは、回転中心ＣＰと重心Ｇの距離の合成力作用方向と直交する方向成分である。
【００３５】
薬剤保持体１１が回転することにより、担体３０の周囲に生じる気流が担体３０にあたって該担体３０に保持されている害虫防除成分が効率的に揮散する。またこれにより、従来の害虫防除装置で用いられている常温で揮散する害虫防除成分だけでなく、気流によって揮散する害虫防除成分の使用も可能となり、より効果的な害虫防除を行うことができる。更に、ファン部３２の回転により外気を吸気口２０から取り込み、担体３０から揮散した害虫防除成分と共に排気口２２から携帯型害虫防除装置１００の側方全周に向けて排出して拡散させ、使用者周囲の害虫を防除する。また、ファン部３２の回転は、吸気口２０や排気口２２を介して視認することができるので、気流が生じて害虫防除成分が有効に拡散していることのインジケータとして用いることもできる。
尚、薬剤保持体１１が逆回転する場合には、前記排気口から外気を取り込み、前記吸気口２０から害虫防除成分を含んだ気流が排出されることとなる。
【００３６】
本実施形態の携帯型害虫防除装置１００によれば、単に携帯型害虫防除装置１００を腕１３に装着しておくだけで、薬剤保持体１１が回転して害虫防除成分を揮散させ、更に、外気を取り込んで揮散した害虫防除成分と共に周囲に拡散されるので、従来の装置のようにモータや電池などの高価な装置を用いることなく害虫防除成分を効果的に拡散させて害虫を防除することができる。また、モータや電池などの駆動装置が不要となるので、害虫防除装置を小型化して、携帯に好適な大きさにすることができ、利便性が大幅に向上する。また、携帯型害虫防除装置１００は、装着手段であるリストバンド１２を装着部位に好適な形態のものに適宜交換することによって、腕だけでなく、首、衣服、帽子、かばん等の身体や携帯品の任意の位置に装着することができる。
【００３７】
（第１変形例）
次に、携帯型害虫防除装置の第１変形例について図１１を参照して説明する。図１１は第１変形例の回転駆動機構の概略構成図である。第１変形例の携帯型害虫防除装置は、回転駆動機構が異なるだけで、その他の部分については、図１から図１０において既に説明した携帯型害虫防除装置１００と同様であるので、同一部分には同一符号又は相当符号を付して説明を簡略化又は省略する。
【００３８】
図１１に示すように、第１変形例の回転駆動機構６０は、担体（３０）を保持する保持器６１の内部に、支持軸３８を中心として略扇状に形成された扇状溝６２と、扇状溝６２内に移動自在に入れられた鋼球などの球状錘６３とから構成されている。
【００３９】
このような回転駆動機構６０を有する携帯型害虫防除装置が、身体または携帯品に装着されて振られると、重力及び慣性力によって球状錘６３が扇状溝６２内で矢印ＣまたはＤ方向に移動して扇状溝６２の端面６２ａに当接する。これにより、保持器６１に回転力が付与されて支持軸３８を中心として回転し、担体（３０）に保持された害虫防除成分が揮散し、更に羽根（４４）によって拡散される。また、球状錘６３が扇状溝６２内で移動するとき移動音が発生するので、この移動音によって作動していることが容易に確認でき、使用感が向上する。その他の作用、効果については、図１から図１０において既に説明した携帯型害虫防除装置１００と同様であるので、説明を省略する。
【００４０】
（第２変形例）
次に、携帯型害虫防除装置の第２変形例について図１２を参照して説明する。図１２は第２変形例の回転駆動機構の概略構成図である。第２変形例の携帯型害虫防除装置は、回転駆動機構が異なるだけで、その他の部分については、図１から図１０において既に説明した携帯型害虫防除装置１００と同様であるので、同一部分には同一符号又は相当符号を付して説明を簡略化又は省略する。
【００４１】
図１２に示すように、第２変形例の回転駆動機構６５は、担体（３０）を保持する保持器６６の裏面に配設された３個の鋼球６７として構成されている。具体的には、保持器６６の裏面には、１２０°間隔で３個の半球状のボール収容凹部６８が設けられている。それぞれのボール収容凹部６８には、鋼球６７が回転自在に嵌合し、保持器６６の回転に伴って下カバー（１５）の底面（２４）上を転動する。また、保持器６６の支持軸３８は、下カバー（１５）の下部軸受穴（２６）に回動自在に嵌合している。
【００４２】
このような回転駆動機構６５を有する携帯型害虫防除装置が、身体または携帯品に装着されて振られると、鋼球６７が、図１０に示す錘４１と同様に作用して保持器６６に回転力を付与して回転させる。このとき、鋼球６７は下カバー（１５）の底面（２４）上を転動するので、転動音が発生して回転していることを容易に確認することができる。その他の作用、効果については、図１から図１０において既に説明した携帯型害虫防除装置１００と同様であるので、説明を省略する。
【００４３】
（第３変形例）
次に、携帯型害虫防除装置の第３変形例について図１３を参照して説明する。図１３は第３変形例の回転駆動機構の概略構成図である。第３変形例の携帯型害虫防除装置は、回転駆動機構が異なるだけで、その他の部分については、図１から図１０において既に説明した携帯型害虫防除装置１００と同様であるので、同一部分には同一符号又は相当符号を付して説明を簡略化又は省略する。
【００４４】
図１３に示すように、第３変形例の回転駆動機構７０は、担体（３０）を保持する保持器７１の支持軸３８に回動自在に嵌合する略３角形の錘７３と、錘７３より大きな幅を有し保持器７１の裏面に形成された扇状凹部７２とから構成されている。錘７３は、支持軸３８を中心として扇状凹部７２内で矢印ＥまたはＦ方向に揺動自在とされている。
【００４５】
このような回転駆動機構７０を有する携帯型害虫防除装置が、身体または携帯品に装着されて振られると、重力及び慣性力によって錘７３が支持軸３８を中心として矢印ＥまたはＦ方向に揺動し、扇状凹部７２の端面７２ａに当接する。これにより、保持器７１に回転力が付与されて支持軸３８を中心として回転し、害虫防除成分が揮散し、更に拡散する。また、錘７３が端面７２ａに当接する際に発生する衝突音によって作動していることを確認することができ、使用感が向上する。その他の作用、効果については、図１から図１０において既に説明した携帯型害虫防除装置１００と同様であるので、説明を省略する。
【００４６】
（第４変形例）
次に、携帯型害虫防除装置の第４変形例について図１４を参照して説明する。図１４は第４変形例の回転駆動機構の概略構成図である。第４変形例の携帯型害虫防除装置は、回転駆動機構が異なるだけで、その他の部分については、図１から図１０において既に説明した携帯型害虫防除装置１００と同様であるので、同一部分には同一符号又は相当符号を付して説明を簡略化又は省略する。
【００４７】
図１４に示すように、第４変形例の回転駆動機構７５は、担体（３０）を保持する保持器７６の裏面外周部に、１本の突起片７７が下方に突出して形成されている。また、下カバー１５の底面には、中心に下部軸受穴（２６）が設けられると共に、円筒状側壁１９に沿って環状溝７９が形成されている。保持器７６は、支持軸３８を下カバーの下部軸受穴（２６）に回転自在に嵌合させて組み付けたとき、突起片７７が環状溝７９内に挿入された状態で組み付けられる。環状溝７９には、鋼球７８が環状溝７９内で回転移動可能に組み込まれている。
【００４８】
このような回転駆動機構７５を有する携帯型害虫防除装置が、身体または携帯品に装着されて振られると、重力及び慣性力によって鋼球７８が環状溝７９内で矢印Ｈ方向に回転移動して、保持器７６の突起片７７に当接する。これにより、保持器７６に回転力が付与されて支持軸３８を中心として回転し、害虫防除成分が揮散し、更に拡散する。また、鋼球７８が突起片７７に当接する際に発生する衝突音によって作動していることを確認することができ、使用感が向上する。その他の作用、効果については、図１から図１０において既に説明した携帯型害虫防除装置１００と同様であるので、説明を省略する。
【００４９】
（第５変形例）
次に、携帯型害虫防除装置の第５変形例について図１５を参照して説明する。図１５は第５変形例の携帯型害虫防除装置の外観斜視図である。第５変形例の携帯型害虫防除装置は、外観形状が異なるだけで、その他の部分については、図１から図１０において既に説明した携帯型害虫防除装置１００と同様であるので、同一部分には同一符号又は相当符号を付して説明を簡略化又は省略する。
【００５０】
図１５に示すように、第５変形例の携帯型害虫防除装置２００は、紐状部材によって使用者の首に掛けて携帯使用される首掛け型の携帯型害虫防除装置であり、外観形状のみが図１から図１０において既に説明した携帯型害虫防除装置１００と異なるだけで、内部構造については同様に構成されている。尚、回転駆動機構については、第１変形例から第４変形例に記載した構造とすることもできる。
【００５１】
前カバー８２および後カバー８３の外観形状は、略卵型に形成されており、上部にはストラップ８１が取り付けられている。前カバー８２の前面には、前方に開口する３つの長穴からなる吸気口８４が縦方向に形成され、下部側面には下方に開口する３つの長穴からなる排気口８５が、また上部側面には上方に開口する２つの長穴からなる排気口８６が形成されている。
【００５２】
使用者がストラップ８１を首に掛け、携帯型害虫防除装置２００を胸の近傍に配置して移動すると、重力及び慣性力によって回転駆動機構（図示せず）が作動して薬剤保持体（１１）が回転する。これにより、吸気口８４から外気が携帯型害虫防除装置２００内に矢印Ｉ方向に取り込まれ、薬剤保持体（１１）から揮散した害虫防除成分と共に排気口８５、８６から矢印Ｊ方向（下方及び上方）に拡散されて、害虫を防除する。
【００５３】
尚、携帯型害虫防除装置２００を胸の近傍に配置してウオーキングなどで使用する場合、回転駆動機構は必ずしも必要ではない。即ち、使用者の前方への移動によって外気が吸気口８４から入り込み（矢印Ｉ方向）、ファン部（３２）の羽根（４４）に当たって薬剤保持体（１１）を回転させるので、取り込まれた外気が、揮散した害虫防除成分と共に排気口８５、８６から拡散し（矢印Ｊ方向）、害虫を防除する。しかし、回転駆動機構を配設して積極的にファン部（３２）を回転させた方がより効率的に害虫防除が可能となる。
【００５４】
また、本実施形態の携帯型害虫防除装置２００において、図１６に示すように、後カバー８３の周縁部に亙って先細状の突起部８７を設けると共に、後カバー８３の底面８８に外部と内部が連通するための通気孔８９を設けてもよい。この場合には、使用者が身に付けた際にも、突起部８７が使用者の身体表面と係止して、当該身体表面と前記底面８８との間に空間Ｓ´が画成される。このため、身体表面側にも害虫防除成分が拡散されて、効果的に害虫防除が可能となる。
【００５５】
（第６変形例）
更に、携帯型害虫防除装置の第６変形例について図１７を参照して説明する。図１７は第６変形例の携帯型害虫防除装置の下カバーの断面図である。第６変形例の携帯型害虫防除装置は、下カバーが異なるだけで、その他の部分については、図１から図１０において既に説明した携帯型害虫防除装置１００と同様であるので、同一部分には同一符号又は相当符号を付して説明を簡略化又は省略する。
【００５６】
図１７に示すように、第６変形例の下カバー３１５は、第１底面３０１と第２底面３０２とを有する二層構造を有して成形される。即ち、第１底面３０１は、下カバー３１５が中央部で更に下方に有底円筒状に延出されて周縁で段部を有するように形成された面とされる。また、第２底面３０２は、前記第１底面３０１の上方で僅かな隙間を有して前記第１底面３０１を被いかぶすように形成された面とされる。
【００５７】
そして、第２底面には、前記空間Ｓと前記隙間とを連通するための通気孔３０４が複数設けられている。一方、前記第１底面の周縁に設けられた段部にも、外部と前記隙間とが連通するように、通気孔３０３が周方向に亙って等間隔に設けられている。これにより、上カバー（１４）の上方のみならず、下カバー３１５の下方にも害虫防除成分が拡散されて、効果的に害虫防除が可能となる。
【００５８】
（第７変形例）
次に、携帯型害虫防除装置の第７変形例について図１８を参照して説明する。図１８は第７変形例の携帯型害虫防除装置の下カバーの要部断面図である。第７変形例の携帯型害虫防除装置も第６変形例と同様に、下カバーが異なるだけで、その他の部分については、図１から図１０において既に説明した携帯型害虫防除装置１００と同様であるので、同一部分には同一符号又は相当符号を付して説明を簡略化又は省略する。
【００５９】
図１８に示すように、第７変形例の下カバー４１５は、底面４２４において下面（外面）に凹部４０２が複数凹設されており、そして当該凹部の先端部に通気孔４０３が設けられている。これにより、変形例６と同様に上カバー（１４）上方のみならず、下カバー４１５の下方にも害虫防除成分が拡散されて、効果的に害虫防除が可能となる。更に、前記凹部４０２先端部に通気孔４０３を設けたので、通気孔４０３の詰まりを防ぐことができる。
【００６０】
更に、表１、２を参照して本発明に係る携帯型害虫防除装置１００の有効性を検証するために行った実施例について説明する。尚、本実施例では、上記第１変形例の回転駆動機構（６０）を用いて試験を行った。また、表１は担体（３０）に保持させる薬剤の配合表であり、表２は効力試験結果表である。
【００６１】
（実施例）
上述した携帯型害虫捕獲器１００の有効性を確認するため試験を行った。その試験内容について以下に示す。
【００６２】
［試験］
（供試虫）  ヒトスジシマカ（雌）  ２５頭
（試験空間）  ６畳チャンバー
（換気率）  １０回／ｈ（試験中において１時間当たり１０回、強制的に換気を行った。）
（担体の薬剤処方）
【表１】
2008178384.tif 000003
表１に示した薬剤を不織布（エクーレ３６０１Ａ（東洋紡株式会社製）、厚み０．３０ｍｍ、目付け６０ｇ／ｍ２、直径φ４０ｍｍ）に含浸させて担体（３０）とし、そして薬剤保持体（１１）として組み立てて、携帯型害虫防除装置（１００）内に装着してファン部（３２）を回転させて試験を行った。
（試験・評価方法）
１．薬剤が含浸された担体が取り付けられた携帯型害虫防除装置を両腕及び両脚につけて、チャンバー内を４分３０秒間歩行し、その歩行後３０秒間の身体へのランディング数をカウントする。
２．試験全体の所要時間を２５分として設定し、５分ごとに３０秒間の身体へのランディング数をカウントする。即ち、カウントポイントは５、１０、１５、２０、２５の５区域とした。
３．カウントしたランディング数に基づき忌避率を算出する。なお、忌避率は以下の式により導出した。
忌避率（％）＝１００−１００×（携帯型害虫防除装置装着時のランディング数）／（コントロール（非装着時）のランディング数）
この試験結果を表２に示す。
【００６３】
【表２】
2008178384.tif 000004
【００６４】
表２に示すように、いずれの区域においても高い忌避率を示している。このことにより、携帯型害虫防除装置は害虫防除成分を効率的に拡散させて害虫を防除することができることが試験によって確かめられた。
【００６５】
尚、本発明は、前述した実施形態及び各変形例に限定されるものではなく、適宜、変形、改良、等が可能である。
例えば、薬剤保持体の回転は、回転軸を備え該回転軸を中心とする回転でも、特定の回転軸を持たない任意方向の回転であってもよい。また、本発明においては、錘などの回転駆動機構を配設してファン部を回転させるとして説明したが、これに限定されるものではなく、例えばファン部自体の一部を重くしたものでも、或いは担体の一部を重くしたものでもよい。
【００６６】
さらに、本発明においては、携帯型害虫防除装置は、リストバンドによる腕装着型、或いは吊り紐による首掛け型として説明したが、これに限定されるものではなく、適宜、装着手段を変えることによりベルト、帽子、かばんなどに装着するようにしてもよく、更に、ブローチ型として衣服に装着するようにすることもできる。
【００６７】
また、本発明においては、担体を自由な形状とすることができ、例えば図１９に示すように、担体５３０を一対の９０°の円弧状部を点対象となるように中心部で連結した形状とすることができる。この場合には、回転のバランスが偏って回転力を更に付与することができる。
【００６８】
さらに、前述した実施形態及び変形例では、薬剤が含浸された担体を紙類等の構造のものとして主に説明したが、これに代えて、図２０に示すように、各々通気孔６０３が複数設けられた上枠体６０１と下枠体６０２とで、薬剤が含浸された多数の粒状担体６０４を挟持するように構成したもの（カートリッジタイプ）を組み込んでも同等な効果を得ることができる。なお、当該粒状担体は、薬剤が含浸可能であるものであればよく、例えば、発泡体、スポンジ、又は微小風船などに代えることができる。
【００６９】
そして、担体に含浸された薬剤が昇華性薬剤である場合には、通気口及び通気孔を非使用時に塞いて内部の空間を密閉するようなシャッター、例えばスライド式の閉鎖弁等を設けると良い。
【図面の簡単な説明】
【００７０】
【図１】本発明の実施形態である腕装着型の携帯型害虫防除装置の全体斜視図である。
【図２】図１における携帯型害虫防除装置の分解斜視図である。
【図３】上カバーの斜視図である。
【図４】下カバーの斜視図である。
【図５】下カバーの裏面斜視図である。
【図６】保持体の斜視図である。
【図７】ファン部の斜視図である。
【図８】装着手段であるリストバンドの斜視図である。
【図９】腕に装着された携帯型害虫防除装置の斜視図である。
【図１０】回転駆動機構の動作説明図である。
【図１１】第１変形例の回転駆動機構の概略構成図である。
【図１２】第２変形例の回転駆動機構の概略構成図である。
【図１３】第３変形例の回転駆動機構の概略構成図である。
【図１４】第４変形例の回転駆動機構の概略構成図である。
【図１５】首掛け型の携帯型害虫防除装置の外観斜視図である。
【図１６】図１５の携帯型害虫防除装置の後カバーの断面図である。
【図１７】第６変形例の携帯型害虫防除装置の下カバーの断面図である。
【図１８】第７変形例の携帯型害虫防除装置の下カバーの要部断面図である。
【図１９】携帯型害虫防除装置の担体の他の変形例を示す斜視図である。
【図２０】携帯型害虫防除装置の担体のさらに他の変形例を示す外観斜視図である。
【符号の説明】
【００７１】
１０      器体
１１      薬剤保持体
１２      リストバンド（装着手段）
１３      腕（身体）
２０      吸気口（通気口）
２２      排気口（通気口）
３２      ファン部（送風機構）
４１      錘（回転駆動機構）
６０      回転駆動機構
６５      回転駆動機構
７０      回転駆動機構
７５      回転駆動機構
８４      吸気口（通気口）
８５      排気口（通気口）
８６      排気口（通気口）
１００    腕装着型の携帯型害虫防除装置
２００    首掛け型の携帯型害虫防除装置
【図１】
2008178384.tif 000005
【図２】
2008178384.tif 000006
【図３】
2008178384.tif 000007
【図４】
2008178384.tif 000008
【図５】
2008178384.tif 000009
【図６】
2008178384.tif 000010
【図７】
2008178384.tif 000011
【図８】
2008178384.tif 000012
【図９】
2008178384.tif 000013
【図１０】
2008178384.tif 000014
【図１１】
2008178384.tif 000015
【図１２】
2008178384.tif 000016
【図１３】
2008178384.tif 000017
【図１４】
2008178384.tif 000018
【図１５】
2008178384.tif 000019
【図１６】
2008178384.tif 000020
【図１７】
2008178384.tif 000021
【図１８】
2008178384.tif 000022
【図１９】
2008178384.tif 000023
【図２０】
2008178384.tif 000024